(57)【特許請求の範囲】
【請求項１】
少なくともプラントにおける配管系に対する流体漏洩診断に用いる可搬式の漏洩検出装置と、前記漏洩検出装置により収集される各流体漏洩箇所のデータを管理する管理装置と、を備える流体漏洩データの管理システムであって、
前記漏洩検出装置は、
流体漏洩を検出可能な検出部と、
前記プラントの各診断エリアを示すエリア図画像を表示するディスプレイと、
流体漏洩が検出された流体漏洩箇所の前記エリア図画像における位置である検出位置データを入力可能な検出位置入力部と、
入力された前記検出位置データを記憶する記憶部と、を備え、
前記漏洩検出装置は、前記エリア図画像を前記ディスプレイにより表示した状態で前記エリア図画像中に前記流体漏洩箇所の前記診断エリア中における位置を示すマークが人為的な位置指示操作に応じて付されたとき、前記マークの前記エリア図画像上の指示位置が前記検出位置データとして前記検出位置入力部に入力される構成であり、
前記管理装置は、
前記漏洩検出装置により収集された前記検出位置データが入力される入力部と、
入力された前記検出位置データである前記マークの前記エリア図画像上の指示位置を、前記プラントの全体構成図画像における位置データに変換して、前記全体構成図画像に対して、前記全体構成図画像上の前記各位置データに対応する配置に、前記流体漏洩箇所であることを示す表示子を重ねて表示した漏洩箇所表示画像を生成するデータ処理部と、
前記漏洩箇所表示画像を表示する表示部と、を備える管理システム。
【請求項２】
前記漏洩検出装置は、前記検出部の検出結果に基づき流体漏洩量を演算する演算部を備え、前記記憶部には、前記検出位置データが、対応する前記流体漏洩量及び漏洩流体種と関連付けた状態で記憶され、
前記データ処理部は、前記漏洩箇所表示画像上に表示する前記表示子を、対応する前記各流体漏洩箇所における前記流体漏洩量及び前記漏洩流体種と関連付けた状態で前記漏洩箇所表示画像上に表示する請求項１に記載の管理システム。
【請求項３】
前記漏洩検出装置は、流体漏洩を起こしている装置又は配管とその部位に関する位置情報を入力可能なデータ入力部、及び、流体漏洩箇所の撮影画像を撮影可能な撮像部を備え、前記記憶部には、前記検出位置データが、対応する前記位置情報及び前記撮像画像とも関連付けた状態で記憶され、
前記管理装置は、前記表示部に表示される前記表示子を選択する表示子選択部を備え、
前記データ処理部は、前記表示子選択部に対する選択指示に応じて、選択された前記表示子に対応する流体漏洩箇所の詳細データとして、前記入力情報、前記流体漏洩量、前記漏洩流体種、及び、前記撮影画像のうちのすくなくとも一つを前記漏洩箇所表示画像に重ねて前記表示部に表示する請求項２に記載の管理システム。
【請求項４】
請求項１〜３のいずれか一項に記載の管理システムを用いた流体漏洩データの管理方法であって、
前記漏洩検出装置の前記検出部により前記プラントの配管系や容器系の各部からの流体漏洩を検出し、
流体漏洩が検出されたときには、流体漏洩が検出された流体漏洩箇所の前記エリア図画像における位置である検出位置データを前記検出位置入力部に入力し、
所定の診断行程を終えた後、前記管理装置の前記入力部に、前記漏洩検出装置により収集された前記検出位置データを入力し、
前記データ処理部に、入力された前記検出位置データである前記マークの前記エリア図画像上の指示位置を、前記プラントの全体構成図画像における位置データに変換させて、前記全体構成図画像に対して、前記全体構成図画像上の前記各位置データに対応する配置に、前記流体漏洩箇所であることを示す表示子を重ねて表示した漏洩箇所表示画像を生成させ、
前記表示部に、前記漏洩箇所表示画像を表示させる管理方法。 
【発明の詳細な説明】
【技術分野】
【０００１】
本発明は、プラントに対する流体漏洩診断により収集される各流体漏洩箇所のデータを管理するための流体漏洩データの管理システム、及び、管理方法に関する。
【背景技術】
【０００２】
石油精製、石油化学、一般化学、鉄鋼、重工業、自動車、食料・飲料など、様々な分野におけるプラントの生産活動において、種々のガス（水素、窒素、都市ガス、アルゴン、二酸化炭素、炭酸ガスなど）、エア、蒸気など様々な流体が使用されている。そして、この種のプラントにおいて、プラントの生産活動に伴う配管系や容器系の経年劣化や、プラントの整備・施工不良により、配管系や容器系からの流体漏洩が生じることとなっている。このような流体漏洩によりプラントの生産活動においてエネルギーやコストを無駄に消費することとなり、また、漏洩している流体が可燃性や毒性のあるガスであった場合には事故にもつながる虞がある。このため、プラントにおいて流体漏洩が生じている箇所を正確に診断してその箇所を補修すること（即ち、プラントのメンテナンス）は、省エネルギー・省コストや安全面において極めて重要である。
【０００３】
一般に、流体漏洩箇所の補修作業は、流体漏洩箇所の診断作業により流体漏洩箇所を特定してから、後日に行われる。そして、検出した流体漏洩箇所に対する補修を行い易くするために、流体漏洩箇所の診断作業に用いる漏洩検出装置として、特許文献１には、流体漏洩箇所での発生超音波を検出するマイクロホンと、漏洩箇所の位置情報を入力する入力手段と、その漏洩箇所を撮影する撮像手段と、入力手段により入力した位置情報及び撮像手段により撮影した漏洩箇所の画像を表示するディスプレイ手段と、同一の漏洩箇所についてのマイクロホンの出力データと入力手段による入力位置情報と撮像手段による撮影画像とを関連付けした保管状態にするデータ処理手段と、対応漏洩箇所での流体漏洩量を演算する演算手段とを設けてある可搬式漏洩検出装置が提案されている。
【０００４】
上記特許文献１の装置によれば、各漏洩箇所についてのマイクロホンの出力データと入力位置情報と撮影画像とが関連付けられたデータが保管されるから、このデータを利用することにより補修作業者が流体漏洩箇所の特定を行い易くなり、作業効率が向上する利点がある。
【先行技術文献】
【特許文献】
【０００５】
【特許文献１】特開２００３−１０６９２７号公報
【発明の概要】
【発明が解決しようとする課題】
【０００６】
しかし、上記に示すデータの利用法は各流体漏洩箇所のデータを個別に参照するものに過ぎず、上記特許文献１の装置により収集した流体漏洩箇所のデータの活用法については改善の余地があった。
【０００７】
例えば、流体漏洩箇所の補修作業には多大な労力と時間を要するものであり、この労力と時間を省くために、単に流体漏洩箇所の特定を容易にするだけでなく、補修作業を効率的に行える補修作業計画を立案できるようなデータの活用法が望まれる。
【０００８】
また、プラントでの流体漏洩はプラントの生産活動に伴う配管系や容器系の経年劣化により生じるものであるので、流体漏洩箇所の補修を完璧に行ったとしても、いずれ時間の経過とともにプラントのどこかで流体漏洩が再び発生することとなる。このため、流体漏洩による省エネルギー・省コストや安全面における問題を回避するために、プラントに対するメンテナンスを定期的に行っていく必要がある。ただし、定期的にメンテナンスを行うにしても、プラントごとに流体漏洩の発生頻度は異なるものであり、また、同じプラントの中でも流体漏洩が群発するエリアとそうでないエリアが存在するため、このようなプラントにおける流体漏洩の傾向を考慮したメンテナンスの計画を立案することが求められる。このような状況の下、プラントにおける流体漏洩の傾向を把握できるようなデータの活用法が望まれている。
【０００９】
この実情に鑑み、本開示の主たる課題は、プラントに対する流体漏洩診断により収集される各流体漏洩箇所のデータを有効に活用できる流体漏洩データの管理システム、及び、管理方法を提供することにある。
【課題を解決するための手段】
【００１０】
少なくともプラントにおける配管系に対する流体漏洩診断に用いる可搬式の漏洩検出装置と、前記漏洩検出装置により収集される各流体漏洩箇所のデータを管理する管理装置と、を備える流体漏洩データの管理システムであって、
前記漏洩検出装置は、
流体漏洩を検出可能な検出部と、
前記プラントの各診断エリアを示すエリア図画像を表示するディスプレイと、
流体漏洩が検出された流体漏洩箇所の前記エリア図画像における位置である検出位置データを入力可能な検出位置入力部と、
入力された前記検出位置データを記憶する記憶部と、を備え、
前記漏洩検出装置は、前記エリア図画像を前記ディスプレイにより表示した状態で前記エリア図画像中に前記流体漏洩箇所の前記診断エリア中における位置を示すマークが人為的な位置指示操作に応じて付されたとき、前記マークの前記エリア図画像上の指示位置が前記検出位置データとして前記検出位置入力部に入力される構成であり、
前記管理装置は、
前記漏洩検出装置により収集された前記検出位置データが入力される入力部と、
入力された前記検出位置データである前記マークの前記エリア図画像上の指示位置を、前記プラントの全体構成図画像における位置データに変換して、前記全体構成図画像に対して、前記全体構成図画像上の前記各位置データに対応する配置に、前記流体漏洩箇所であることを示す表示子を重ねて表示した漏洩箇所表示画像を生成するデータ処理部と、
前記漏洩箇所表示画像を表示する表示部と、を備える。 
【００１１】
上記構成によれば、プラントの構成図画像上の表示子の分布から、流体漏洩が群発しているエリアや流体漏洩があまり生じていないエリアなど、プラントにおける流体漏洩の傾向を的確に把握することができる。
【００１２】
これにより、例えば、どのエリアについて重点的に診断を行うべきかなど、プラントにおける流体漏洩の傾向を考慮した今後のメンテナンスの効率的な計画を立案することができる。また、対象のプラントにおいて流体漏洩箇所数が多いエリアについては設備の劣化が進んでいることが推定されたり、流体漏洩箇所数が異常に多い場合には設備に何らかの不良が生じていることが推定されるなど、表示子の分布により示されるプラントにおける流体漏洩の傾向から設備の劣化度合いや設備不良を推定することができる。このように、漏洩箇所表示画像を利用することで、プラントにおける流体漏洩の傾向に基づく種々の分析を行うことができる。
【００１３】
さらに、漏洩箇所表示画像上の表示子の位置関係から、各流体漏洩箇所のプラントにおける位置関係を明確に把握することができ、どのような順番で流体漏洩箇所の補修を行うかなど、効率的な補修作業計画を立案することができる。
さらに、上記構成によれば、いわゆるマーキング操作により診断エリアを示す画像を参照しながら流体漏洩箇所の位置である検出位置データを入力するから、漏洩検出装置に対する検出位置データの入力を的確且つ容易に行うことができる。
【００１４】
ここで、プラントに対する流体漏洩診断とは、プラントにおける配管系や容器系についてその各部からの流体漏洩を診断することをいう。
さらに、上記構成によれば、管理装置への流体漏洩箇所のデータの入力を漏洩検出装置により行うから、手作業で流体漏洩箇所のデータを一つ一つ入力するという煩雑な手間を省き、管理装置へのデータ入力を容易に行うことができる。さらに、検出位置データに対応する配置を表示子の配置として漏洩箇所表示画像上に表示子を表示するから、流体漏洩診断における流体漏洩箇所の検出とともに漏洩検出箇所の位置である検出位置データを漏洩検出装置に入力しておくことで、煩雑な作業を伴うことなく、漏洩検出装置からの管理装置へのデータ入力操作のみで、自動的に漏洩箇所表示画像において流体漏洩箇所の位置に表示子を配置させることができる。
漏洩箇所表示画像において検出位置データに対応する配置に表示子を配置するのに、データ処理部が、入力部に入力した検出位置データを構成図画像における座標値に変換し、変換した座標値の示す配置を漏洩箇所表示画像における表示子の配置としたり、または、漏洩検出装置が、検出位置データを構成図画像における座標値に変換して保存しておき、座標値に変換した検出位置データを管理装置に入力して、座標値の示す配置を漏洩箇所表示画像における表示子の配置とするなど適当な手段で行えばよい。
【００１５】
以下、本開示に係る流体漏洩データの管理システムの好適な態様について説明する。但し、以下に記載する好適な態様例によって、本開示の範囲が限定される訳ではない。
【００１６】
一つの態様として、前記漏洩検出装置は、前記検出部の検出結果に基づき流体漏洩量を演算する演算部を備え、前記記憶部には、前記検出位置データが、対応する前記流体漏洩量及び漏洩流体種と関連付けた状態で記憶され、前記データ処理部は、前記漏洩箇所表示画像上に表示する前記表示子を、対応する前記各流体漏洩箇所における前記流体漏洩量及び前記漏洩流体種と関連付けた状態で前記漏洩箇所表示画像上に表示する構成にしてあると好適である。
【００１７】
上記構成によれば、プラントにおける流体漏洩箇所の分布だけでなくその流体漏洩量及び漏洩流体種の分布も含めて、漏洩箇所表示画像により、プラントにおける流体漏洩の傾向を一層的確に把握できる。これにより、プラントにおける流体漏洩の傾向に基づいて行う今後のメンテナンス計画の立案や設備の劣化度合い・不良の推定などの分析をより精度高く行うことができる。
【００１８】
また、流体漏洩量が一定量以上の流体漏洩箇所又は特定の漏洩流体種に係る流体漏洩箇所についてのみ補修作業を行うこととしている場合に、上記構成による漏洩箇所表示画像を用いることで補修作業を行う流体漏洩箇所を容易に絞り込むことができ、その補修作業の計画を容易に立案することができる。
【００１９】
【００２０】
【００２１】
【００２２】
【００２３】
【００２４】
【００２５】
【００２６】
【００２７】
【００２８】
一つの態様として、前記漏洩検出装置は、流体漏洩を起こしている装置又は配管とその部位に関する位置情報を入力可能なデータ入力部、及び、流体漏洩箇所の撮影画像を撮影可能な撮像部を備え、前記記憶部には、前記検出位置データが、対応する前記位置情報及び前記撮像画像とも関連付けた状態で記憶され、前記管理装置は、前記表示部に表示される前記表示子を選択する表示子選択部を備え、前記データ処理部は、前記表示子選択部に対する選択指示に応じて、選択された前記表示子に対応する流体漏洩箇所の詳細データとして、前記位置情報、前記流体漏洩量、前記漏洩流体種、及び、前記撮影画像のうちのすくなくとも一つを前記漏洩箇所表示画像に重ねて前記表示部に表示する構成にしてあると好適である。
【００２９】
上記構成によれば、流体漏洩箇所の詳細データにより、漏洩箇所表示画像により把握できるプラントにおける流体漏洩の傾向に加え、流体漏洩箇所ごとに関する詳細な情報を加味して、種々の分析や補修作業計画の立案を行うことができる。
【００３０】
【００３１】
【００３２】
【００３３】
【００３４】
【００３５】
【００３６】
【００３７】
【００３８】
【００３９】
【００４０】
【００４１】
【００４３】
本開示に係る流体漏洩データの管理方法は、
上記本開示に係る管理システムを用いた流体漏洩データの管理方法であって、
前記漏洩検出装置の前記検出部により前記プラントの配管系や容器系の各部からの流体漏洩を検出し、
流体漏洩が検出されたときには、流体漏洩が検出された流体漏洩箇所の前記エリア図画像における位置である検出位置データを前記検出位置入力部に入力し、
所定の診断行程を終えた後、前記管理装置の前記入力部に、前記漏洩検出装置により収集された前記検出位置データを入力し、
前記データ処理部に、入力された前記検出位置データである前記マークの前記エリア図画像上の指示位置を、前記プラントの全体構成図画像における位置データに変換させて、前記全体構成図画像に対して、前記全体構成図画像上の前記各位置データに対応する配置に、前記流体漏洩箇所であることを示す表示子を重ねて表示した漏洩箇所表示画像を生成させ、
前記表示部に、前記漏洩箇所表示画像を表示させる。
【図面の簡単な説明】
【００４４】
【図１】本開示に係る管理システムの概要図
【図２】漏洩箇所の探知形態を示す図
【図３】漏洩検出装置の斜視図
【図４】携帯検出器の後端拡大図
【図５】携帯検出器の先端拡大図
【図６】データ入力画面を示す図
【図７】位置情報入力画面を示す図
【図８】演算条件入力画面を示す図
【図９】撮影画像画面を示す図
【図１０】エリア図画面を示す図
【図１１】漏洩検出装置のブロック図
【図１２】管理装置のブロック図
【図１３】リスト画像を示す図
【図１４ａ】詳細データ画像を示す図
【図１４ｂ】詳細データ画像を示す図
【図１４ｃ】詳細データ画像を示す図
【図１５ａ】マップ画像を示す図
【図１５ｂ】マップ画像を示す図
【図１５ｃ】マップ画像を示す図
【図１６】補修スケジュールを示す図
【図１７】金額換算表を示す図
【図１８】診断レポートを示す図
【発明を実施するための形態】
【００４５】
本開示は、プラントに対する流体漏洩診断により収集される各流体漏洩箇所のデータを管理する管理装置及びこの管理装置と流体漏洩診断に用いる漏洩検出装置とから構成される管理システムに関する。図１は本開示の概略を示し、本開示では、プラントに対する流体漏洩診断を可搬式の漏洩検出装置Ｒを用いて行い、収集したデータを管理装置であるホストコンピュータ２４に入力する。
【００４６】
漏洩検出装置Ｒを用いて流体漏洩診断としてプラントの配管系や容器系に対しその各部からの流体漏洩の診断を行い、漏洩検出装置Ｒにより流体漏洩が検出された場合には（図１中の符号Ｌ）、漏洩検出装置Ｒに対する各種情報（漏洩流体種、検出日時、流体漏洩箇所を起こしている装置など）の入力、その箇所における流体漏洩量の演算指示、流体漏洩箇所の撮影、診断エリアのエリア図画像Ｐａ及び撮影画像Ｐｂへの流体漏洩箇所のマーキングを行い、これら入力情報や演算された流体漏洩量、撮影画像Ｐｂ、エリア図画像Ｐａ及び撮影画像Ｐｂへの指示位置が、その漏洩箇所に付与した管理番号に関連付けられた収集データＤを作成する。つまり、収集データＤは、流体漏洩の状態（流体漏洩量、漏洩流体種、漏洩を起こしている装置など）とその具体的な位置（撮影画像Ｐｂやエリア図画像Ｐａ及び撮影画像Ｐｂへのマーキング位置など）とが一まとめになったデータとなっている。そして、順次各箇所についての診断を行い、流体漏洩が検出される毎に流体漏洩箇所ごとに収集データＤを作成し、この収集データＤを蓄積して保管していく。
【００４７】
そして、所定の診断行程を終えた後、蓄積された収集データＤをホストコンピュータ２４に入力する。このホストコンピュータ２４は、詳しくは後述するが、入力された収集データＤに基づき、収集データＤを単に流体漏洩箇所の特定に用いるだけでなく、流体漏洩箇所を捕集することにより得られる経済効果、発見された流体漏洩箇所に対する補修作業の計画や今後のメンテナンス計画の立案、プラントの設備改善に関する情報を提供する。つまり、本開示によれば、プラントに対する流体漏洩診断により収集される収集データの有効な活用法を提供できる。
【００４８】
以下、本開示について具体的に説明する。まず、流体漏洩診断に用いる漏洩検出装置の構成を説明し、続けて漏洩検出装置を用いたプラントに対する流体漏洩診断と各流体漏洩箇所のデータ収集との方法について説明し、その後、管理装置（以下の説明においてはホストコンピュータ２４）を用いた収集データの管理について説明する。
【００４９】
〔漏洩検出装置の構成〕
図２，図３に示すように、漏洩検出装置Ｒは、主体装置としてのガン形状の携帯検出器１及びその携帯検出器１に取り付けた携帯コンピュータ２を備えている。
【００５０】
図３，図４に示す如く、携帯検出器１の先端部には、流体漏洩箇所での発生超音波を検出する指向性マイクロホン３及び光ビーム出射光源４を配置し、携帯検出器１の後端部には、超音波検出値（具体的には検出音圧）をバーグラフ表示とデジタル表示とをもって表示する表示部５及び各種キー６を配置してあり、また、この携帯検出器１には、検出超音波を可聴化した探知音を出力するイヤホン７を接続してある。
【００５１】
そして、携帯検出器１には、図１１に示す如く、増幅部８、フィルタ部９、検波部１０、整流部１１を通じマイクロホン３の出力信号を入力して、この入力信号に基づき超音波検出値を表示部５に表示させるとともに可聴化した探知音をイヤホン７に出力させる演算部１２、及び、各種データ類を格納する記憶部１３を装備してある。
【００５２】
マイクロホン３は、図５に示す如く、その複数個をそれらの指向範囲Ｓに共通の重なり部分ＳＳが生じる状態に同じ向きで正多角形Ｋ（本例では正六角形）の頂点位置に分散配置し、これに対し、光ビーム出射光源４は、マイクロホン指向範囲Ｓの共通重なり部分ＳＳに対して光ビームを出射する状態にマイクロホン指向方向視で上記正多角形Ｋの重心位置に配置してあり、これにより、図２に示す如く携帯検出器１の先端向きを変化させてマイクロホン３の指向方向を変化させながら超音波検出値及び探知音に基づき漏洩箇所を探知するにあたり、光ビーム照射ポイントの目視によりその時点の探知対象箇所を逐次明確に目視確認しながら漏洩箇所の探知を行なえるようにしてある。
【００５３】
超音波検出感度（すなわち、増幅部８での信号増幅度）はキー６の操作により設定変更でき、また、その設定感度は超音波検出値とともに表示部５に表示するようにしてあり、漏洩箇所を探知したときキー６の操作を行なうことで演算部１２は、その漏洩箇所におけるマイクロホン出力データとしてその漏洩箇所での超音波検出値を、その漏洩箇所に対する付与管理番号によりその時の設定感度と関連付けしてその設定感度とともに記憶部１３に保管する。
【００５４】
１４は先端に小開口１５を形成した円錐状のキャップであり、漏洩箇所と思われる箇所を探知したときには、必要に応じ、このキャップ１４を携帯検出器１の先端部に装着して複数マイクロホン３の全体としての指向性を強くした状態で漏洩箇所に接近して、そのときの超音波検出値及び探知音により漏洩箇所を確認する。
【００５５】
１６は引き金と同様の操作形態で操作する電源スイッチであり、この電源スイッチ１６をＯＮ操作すると超音波検出状態に入る。なお、光ビーム出射のＯＮ／ＯＦＦはキー６の操作により行なう。
【００５６】
携帯コンピュータ２は、図１，図１１に示す如く演算部１７及び記憶部１８とともにディスプレイ１９及び各種キー２０を備え、また、小型デジタルカメラ２１の装着が可能なものである。この携帯コンピュータ２は、取付具２２により携帯検出器１の上部に着脱及び姿勢調整自在に取り付け、また、有線ないし無線の通信部２３により携帯検出器１との間での通信を可能にしてある。
【００５７】
〔流体漏洩診断〕
流体漏洩診断にあたっては、先ず、この携帯コンピュータ２の記憶部１８に診断対象のプラントの診断エリアのエリア図画像Ｐａ（図１０に示す如き画像）を格納する。その後、診断エリア中を移動しながら、図２に示す如く携帯検出器１を用いて超音波検出値及び探知音に基づき漏洩箇所の診断を行ない、漏洩箇所が発見されると、その漏洩箇所での超音波検出値を前述の如くキー６操作により携帯検出器１の記憶部１３に保管する。
【００５８】
この保管操作を行なうと、携帯検出器１の演算部１２は携帯コンピュータ２の演算部１７を呼び出し、それに応答して、携帯コンピュータ２の演算部１７は、管理番号により関連付けられて携帯検出器１の記憶部１３に保管された超音波検出値及び設定感度を読み込むとともに、図６に示す如きデータ入力画面Ｇａをディスプレイ１９に表示し、そのデータ入力画面Ｇａ中にその漏洩箇所についての管理番号、超音波検出値、設定感度検出日時、診断担当者名（又はＩＤ）、及び、修理済みのチェック欄を表示する。
【００５９】
また、データ入力画面Ｇａ中でのキー操作により漏洩量の演算を指示すると、演算部１７は図８に示す如き演算条件入力画面Ｇｂをディスプレイ１９に表示し、この演算条件入力画面Ｇｂにおいて距離、タイプ、方向、流体の各項目につき、その漏洩箇所についての演算条件を入力すると、演算部１７は、その漏洩箇所の超音波検出値と入力された演算条件とに基づき、その漏洩箇所での流体漏洩量を算出し、その算出漏洩量を演算条件入力画面Ｇｂ中に表示する。
【００６０】
なお、上記項目において、距離は漏洩点と検出器１との離間距離、タイプは漏洩があった配管部材等の種別、方向は漏洩点に対する超音波検出方向、流体は漏洩流体の種別を意味する。
【００６１】
演算条件入力画面Ｇｂでの条件入力の際、タイプ、方向、流体の各項目については画面Ｇｂ中でのキー操作により一覧表示を指示すると、演算部１７は各項目について個別に演算条件データの一覧（プルダウンメニュー）を画面Ｇｂ中に表示し、この一覧中から対応の漏洩箇所に該当する演算条件データを選択すると、演算部１７は、その選択データを入力演算条件として上記の演算を実行する。
【００６２】
一覧中の演算条件データは、一連の探知作業に先立ちホストコンピュータ２４で専用プログラムを用い作成したものを、図１に示す如く有線ないし無線の通信部２５によりホストコンピュータ２４から携帯コンピュータ２に送って携帯コンピュータ２の記憶部１８に保管したものであり、同様の操作により対象とする診断エリアや探知対象とする漏洩箇所の種別などに応じ随時書き換えができる。
【００６３】
漏洩量の演算機能は、携帯コンピュータ２を携帯検出器１から取り外して携帯検出器１の単独使用で漏洩箇所の探知を行なう場合にも漏洩量の演算を行なえるように携帯検出器１にも備えさせてあり、超音波検出値を携帯検出器１の記憶部１３に保管する際、表示部５で入力データを確認しながらキー６操作により各項目について演算条件を入力すると、携帯検出器１の演算部１２は、超音波検出値と入力された演算条件とに基づき流体漏洩量を算出し、その算出漏洩量を表示部５に表示するとともに、その算出漏洩量と超音波検出値と設定感度とを対応の漏洩箇所に対する付与管理番号により関連付けして記憶部１３に保管する。
【００６４】
なお、携帯コンピュータ２を携帯検出器１に装備した状態において、上記の如く携帯検出器１の側で漏洩量の演算を行なった場合、携帯コンピュータ２の演算部１７は、携帯検出器１の記憶部１３に保管された超音波検出値及び設定感度を読み込む際、算出漏洩量も合わせて携帯検出器１の記憶部１３から読み込む。そして、携帯コンピュータ２の側ないし携帯検出器１の側で演算された漏洩量は、その漏洩箇所についての管理番号、超音波検出値、設定感度、検出日時、診断担当者名、及び、修理済みのチェック欄とともに前記データ入力画面Ｇａ中に表示される。
【００６５】
データ入力画面Ｇａにおいて、その画面Ｇａ中でのキー操作により位置情報入力画面の表示を指示すると、演算部１７は図７に示す如き位置情報入力画面Ｇｃをディスプレイ１９に表示し、この位置情報入力画面Ｇｃではエリア、階、対象部材、対象部位、使用流体種の各項目につき、その漏洩箇所についての位置情報を入力する（なお、対象部位、使用流体種については図７では隠れており、スクロールバーの操作により対象部位、使用流体種の項目を表示させて入力する）。また、この位置情報入力画面Ｇｃでの情報入力の際、エリア、階、対象部材、対象部位、使用流体種の各項目について画面Ｇｃ中でのキー操作により一覧表示を指示すると、演算部１７は各項目について個別に位置データの一覧（プルダウンメニュー）を画面Ｇｃ中に表示し、この一覧中から対応の漏洩箇所に該当する位置データを選択すると、演算部１７は、その選択データを漏洩箇所についての入力位置情報とする。
【００６６】
なお、上記項目において、エリアは診断を行うエリア名、階は診断エリアのプラントにおける階数、対象部材は流体漏洩を起こしている装置（配管、バルブなど）の種別、対象部位は対象部材における漏洩のあった部位（本体部分、継手部分、フランジ部分など）、使用流体種は対象部材において使用されている流体の種別を意味する。
【００６７】
一覧中の位置データ及びエリア，階，対象部材、対象部位の項目の項目名は、前記した演算条件データと同様、一連の探知作業に先立ちホストコンピュータ２４で専用プログラムを用い作成したものを携帯コンピュータ２の記憶部１８に保管したものであり、対象とする診断エリアや探知対象とする漏洩箇所の種別などに応じ随時書き換えができる。
【００６８】
また、位置情報入力画面Ｇｃの下部には備考欄を設けてあり、エリア内における具体的場所を示す場所詳細情報（「北側・メインライン・バルブ」など）を入力可能にしてある。
【００６９】
さらに、データ入力画面Ｇａにおいて、その画面Ｇａ中でのキー操作によりエリア図の表示を指示すると、演算部１７は図１０に示す如きエリア図画面Ｇｄをディスプレイ１９に表示して、記憶部１８に保管のエリア図画像Ｐａをそのエリア図画面Ｇｄに表示する。そして、この表示されたエリア図画像Ｐａ上で漏洩箇所の位置（すなわち、漏洩箇所の診断エリア中における位置）を指示するマーキング操作（人為的な位置指示操作に相当）を所定の操作手順で行なうと、演算部１７は図１０に示す如く、表示のエリア図画像Ｐａ中に漏洩箇所の位置を示すマークＭａ（本例では指示位置を中心とする丸印）を表示する。
【００７０】
また同様に、携帯コンピュータ２に装着のカメラ２１により漏洩箇所を撮影した上で、データ入力画面Ｇａにおいて、その画面Ｇａ中でのキー操作により撮影画像の表示を指示すると、演算部１７は図９に示す如き撮影画像画面Ｇｅをディスプレイ１９に表示して、漏洩箇所の撮影画像Ｐｂをその撮影画像画面Ｇｅに表示する。そして、この表示された撮影画像Ｐｂ上で漏洩の詳細位置を指示するマーキング操作を所定の操作手順で行なうと、演算部１７は図９に示す如く、表示の撮影画像Ｐｂ中に漏洩詳細位置を示すマークＭｂ（本例では指示位置を中心とする丸印）を表示する。なお、図示は省略するが、撮影画像Ｐｂとして、漏洩位置をズームアップして撮影した図９に示すような画像の他、必要に応じて、漏洩位置の周辺の設備も含むようにズームダウンした画像も撮影しておき、これについても同様のマーキング操作を行う。
【００７１】
また、漏洩箇所の探知と同時に、該漏洩箇所の補修も同時に行う場合があり、同時に補修を行った場合にはデータ入力画面Ｇａ中でのキー操作により修理済みの欄にチェックを入れる。
【００７２】
そして、演算部１７は、上記の各画面Ｇａ〜Ｇｅでの入力が確定すると、その漏洩箇所についての超音波検出値、設定感度、漏洩量、検出日時、診断担当者名、入力位置情報（エリア、階、対象部材、対象部位、使用流体種、備考欄に記入した場所詳細情報）、入力演算条件（距離、タイプ、方向、流体）、表示したエリア図画像Ｐａ中におけるマークＭａの指示位置、撮影画像Ｐｂ、及び、表示した漏洩箇所の撮影画像Ｐｂ中におけるマークＭｂの指示位置、修理済みのチェックの有無を、その漏洩箇所に付与した管理番号により関連付けして、収集データＤとして記憶部１８に保管する。表示したエリア図画像Ｐａ中におけるマークＭａの指示位置はエリア図画像Ｐａにおける座標値に変換されて記憶部１８に保管される。撮影画像Ｐｂ中におけるマークＭｂの指示位置についても同様に撮影画像Ｐｂにおける座標値として記憶部１８に保管される。
【００７３】
すなわち、診断エリア中を移動して漏洩箇所を順次探知して行くことにおいて、漏洩箇所の各々に対し上記の処理操作を行なうことで、各漏洩箇所についての収集データＤ（各漏洩箇所の管理番号により関連付けられた同一漏洩箇所についての超音波検出値、設定感度、漏洩量、検出日時、診断担当者名、入力位置情報、入力演算条件、マークＭａの指示位置、撮影画像Ｐｂ、マークＭｂの指示位置、修理済みのチェックの有無）が携帯コンピュータ２の記憶部１８に蓄積される。
【００７４】
一連の診断作業を完了すると、演算条件データや位置データの書き込みの場合と同様、図１に示す如く、携帯コンピュータ２の記憶部１８に保管の収集データＤを有線ないし無線の通信部２５によりホストコンピュータ２４に入力する。
【００７５】
なお、携帯検出器１についてもその単独使用の場合のためにホストコンピュータ２４との間での有線ないし無線での通信を可能にしてあり、携帯検出器１の記憶部１３に保管の収集データＤをホストコンピュータ２４に入力したり、携帯検出器１の記憶部１３に対し種々のデータをホストコンピュータ２４から直接に書き込むこともできる。
【００７６】
また、配管を含めてプラントにおける装置に管理用ＩＤを付した場合には、予め管理用ＩＤとプラントにおけるエリア・階・対象部材・使用流体種・場所詳細情報を対応付けて、その対応表を記憶部１８に記憶しておき、位置情報入力画面Ｇｃで入力する位置情報として管理用ＩＤを入力するだけで、演算部１７が管理用ＩＤを対応するエリア・階・対象部材・使用流体種・場所詳細情報に変換し、これら位置情報が漏洩箇所に付与した管理番号と関連付けた状態で記憶部１８に保管されるようにしてもよい。さらに、予め管理用ＩＤをエリア図画像Ｐａにおける座標値と対応付け、その対応表を記憶部１８に記憶しておき、管理用ＩＤの入力により、演算部１７が管理用ＩＤを対応するエリア図画像Ｐａにおける座標値に変換して、エリア図画像Ｐａ上でのマーキング操作を行うことなく、マークＭａの座標値が漏洩箇所に付与した管理番号と関連付けた状態で記憶部１８に保管されるようにしてもよい。なお、管理用ＩＤの位置情報やマークＭａの座標値への変換は後述するデータベース管理部３２で行ってもよい。
【００７７】
エリア図画像Ｐａに代えてプラントの構成図画像を記憶部１８に格納してもよく、この場合、構成図画像上で漏洩箇所の位置を指示するマーキング操作を行い、構成図画像に漏洩箇所の位置を示すマークＭａを表示し、また、構成図画像におけるマークＭａの座標値を漏洩箇所に付与した管理番号と関連付けた状態で記憶部１８に保管する。
【００７８】
〔収集データの管理〕
ホストコンピュータ（管理装置に相当）２４は、図１に示すように、キーボードやマウスからなる操作部２６（漏洩流体種選択部、拡大縮小指示部、比率指示部、表示子選択部に相当）と、携帯コンピュータ２又は携帯検出器１用の専用端子、赤外線通信機器などの無線通信手段、ＣＤドライブ等からなる入力部２７と、ハードディスクからなる記憶部２８と、内臓ＣＰＵからなる演算部（データ処理部に相当）２９と、ディスプレイからなる表示部３０と、を備える。記憶部２８には管理用プログラム、及びデータベースＤｂを格納してある。ホストコンピュータ２４は演算部２９による管理用プログラムの実行により入力データの処理などの動作を行う。
【００７９】
プラントに対する流体漏洩診断により収集された各流体漏洩箇所の収集データＤ（携帯コンピュータ２の記憶部１８又は携帯検出器１の記憶部１３に保管の収集データＤ）のホストコンピュータ２４への入力は、入力部２７により行う。入力した収集データＤは後述するようにデータベースＤｂに蓄積的に記録される。
【００８０】
ホストコンピュータ２４は、表示部３０を通じての操作部２６の簡単な操作で指令入力を受け取るため、図１２に示すように、グラフィックユーザインターフェースを実現するＧＵＩ部３１を備え、このＧＵＩ部３１は、データベース管理部３２、分析処理部３３、診断レポート作成部４２、の各種機能部と連携している。また、分析処理部３３は、漏洩箇所マップ作成部３４、漏洩傾向推定部３５、プラント対比情報生成部３６、診断計画評価部３７、配管接続推定部３８、補修スケジュール作成部３９、金額換算部４０、及び、コンプレッサー判定部４１の機能部から構成される。これにより、ホストコンピュータ２４は、操作部２６からの指示により、各種機能部に対応する動作を行う。以下、各機能部について説明する。
【００８１】
〔データベース管理部３２〕
データベース管理部３２は、データベースＤｂの管理及びデータベースＤｂに記録されたデータの表示を行う。データベース管理部３２は、データベース記録機能として、収集データＤを入力部２７から読み込んでデータベースＤｂに蓄積的に記録し、また、流体漏洩診断の対象とするプラントの全体構成図画像（又は部分構成図画像、以下同じ）を入力部２７から読み込んで、データベースＤｂに記録する。また、配管を含めてプラントにおける装置に管理用ＩＤを付した場合には、予め管理用ＩＤとプラントにおけるエリア・階・対象部材・使用流体種・場所詳細情報を対応付けて、その対応表を記憶部２８に記憶しておき、管理用ＩＤを対応するエリア・階・対象部材・使用流体種・場所詳細情報に変換し、これら位置情報をデータベースＤｂに記録してもよい。さらに、予め管理用ＩＤをエリア図画像Ｐａにおける座標値と対応付け、その対応表を記憶部２８に記憶しておき、管理用ＩＤを対応するエリア図画像Ｐａにおける座標値に変換して、データベースＤｂに記録してもよい。
【００８２】
さらに、データベース表示機能として、図１３に示すように、データベースＤｂに記録された収集データＤなどのデータを表形式で表示したリスト画像Ｐｃを表示部３０に表示する。また、データベース編集機能として、このリスト画像Ｐｃ上で、操作部２６の操作によりリスト中の各データに対し書き換えや書き込みなどデータ編集が可能となっており、データ編集があった場合はこれに従ってデータベースＤｂが更新される。リスト画像Ｐｃでは、操作部２６によりリストをスクロールすることにより所望の流体漏洩箇所におけるデータを表示できる。また、フィルタ機能を有しており（図中上部のエリア、階、診断員の欄参照）、例えば、指定したエリア中の流体漏洩箇所のデータのみ表示したり、特定の診断員により診断された流体漏洩箇所のデータのみ表示するなど、特定の条件の流体漏洩箇所のみを表示することができる。
【００８３】
このデータベース管理部３２により、全流体漏洩箇所のデータを一望でき、また、必要なデータのみを表示させることができ、データ管理が容易となる。また、収集データＤに誤りがあった場合にはデータ編集で容易に修正ができる。
【００８４】
データベース管理部３２では、金額換算部４０での演算で必要となる年間のプラントの稼働時間、使用流体の単価、稼働時間及び単価をロックするかのチェックの入力・編集を行える。例えば、データベース編集機能として、年間のプラントの稼働時間の一括入力欄（図示しない）と使用流体の単価の一括入力欄（図示しない）とを、使用流体種とプラントにおけるエリアとの組み合わせごとに設けて、これら一括入力欄に対し年間のプラントの稼働時間と使用流体の単価をそれぞれ入力することで、対象の流体漏洩箇所の稼働時間の欄と使用流体の単価の欄とに対し入力した稼働時間と使用流体の単価とをそれぞれ一括して入力できる。また、リスト画像Ｐｃに表示される各流体漏洩箇所の稼働時間の欄や使用流体の単価の欄に対してもそれぞれの値を直接入力することができ、流体漏洩個所ごとに個別に編集できる。なお、入力された内容に従ってデータベースＤｂが更新される。稼働時間及び単価をロックするかのチェック欄にチェックを入れることで、年間のプラントの稼働時間の一括入力欄（図示しない）又は使用流体の単価の一括入力欄に対し新たに稼働時間又は単価を入力しても、該チェック欄にチェックを入れた漏洩箇所の欄については、該一括入力欄に入力した値が入力されることなく、元々入力していた値で固定される。
【００８５】
このように、年間のプラントの稼働時間や使用流体の単価を一括入力可能にすることで、後述の金額換算部３９における演算条件を容易に変更できる。また、稼働時間及び単価をロックするかのチェック欄を設け、稼働時間や単価の一括入力に対し値を固定するから、例えば、プラントの稼働において特定の時間にのみ稼働する場所に流体漏洩箇所が位置する場合や、特殊な環境に位置することにより使用流体の単価が他の箇所における同一種の使用流体の単価に比べ高くなるような場合など、稼働時間や使用流体の単価が他の箇所と異なる値で設定される流体漏洩箇所が含まれている場合にも対応できる。
【００８６】
なお、年間のプラントの稼働時間の一括入力欄は、使用流体種ごとのみ、又は、プラントにおけるエリアごとのみについても設けてあり、また、使用流体の単価の一括入力欄は使用流体種ごとのみについても設けてある。また、入力した稼働時間及び単価、稼働時間及び単価をロックするかのチェック欄に対するチェックはデータベースＤｂに記録される。
【００８７】
データベース管理部３２は、詳細データ表示機能を有しており、リスト画像Ｐｃ中の項目を操作部２６により選択した場合に、データベースＤｂにアクセスしてデータを抽出し、選択した項目に対応する流体漏洩箇所に関する詳細データ画像Ｐｄをリスト画像Ｐｃに重ねて表示する。詳しくは、ホストコンピュータ２４は、図１４に示すように、詳細データ画像Ｐｄとして、選択した流体漏洩箇所の流体漏洩情報、位置情報、撮影画像Ｐｂなどを表示する画像Ｐｄ１と、選択した流体漏洩箇所のプラントの全体構成図上の位置を表示する配置図画像Ｐｄ２と、補足情報を表示する補足情報画像Ｐｄ３とを操作部２６の操作により切り換えて表示する。
【００８８】
具体的には、画像Ｐｄ１では、図１４ａに示すように、流体漏洩情報として超音波検出値（測定音圧）、設定感度、検出日時、漏洩量（リーク量）、入力演算条件（距離、タイプ、方向、流体）を上段に表示し、位置情報として入力位置情報（エリア、階、対象部材、対象部位、使用流体種）を中段に表示し、マークＭｂが付された撮影画像Ｐｂを下段に表示する。下段に表示する撮影画像Ｐｂは、漏洩位置をズームアップして撮影した図９に示すような画像（図中、アップに対応）と、漏洩位置の周辺の設備も含むようにズームダウンした画像（図中、引きに対応）であり、ズームダウンした画像を撮影していなければ、その部分は空欄とする。また、その他の情報として、診断担当者名（測定者名）、年間のプラントの稼働時間や使用流体の単価、稼働時間及び単価をロックするかのチェック欄、修理済みかどうかのチェック欄、を中段に表示する。ここでも、操作部２６の操作により各情報の書き換えや書き込みや撮影画像Ｐｂの差し替え、撮影画像Ｐｂ上のマークＭｂの位置が変更など種々のデータ編集が可能となっており、データ編集がなされた場合は、これに従ってデータベースＤｂが更新される。
【００８９】
配置図画像Ｐｄ２では、図１４ｂに示すように、データベースＤｂに記録されたプラントの全体構成図画像上に、選択した流体漏洩箇所に対応するマークＭａの指示位置に従ってマークＭａを付した画像を表示する。操作部２６の操作によりマークＭａの位置が編集可能となっており、データ編集がなされた場合は、これに従って記憶部２８に記憶された収集データＤの内容が更新される。また、操作部２６の操作に応じて、表示される全体構成図画像を拡大又は縮小して表示したり、全体構成図画像のスクロールにより全体構成図画像の表示箇所を変更する構成にしてある。
【００９０】
補足情報画像Ｐｄ３では、図１４ｃに示すように、場所詳細情報を表示する備考欄（図中のｎｏｔｅに対応）や、診断員からの伝達事項が記入される診断員備考欄、画像Ｐｄ１、Ｐｄ２に対して行ったデータ編集の内容を記入する編集欄（図中のカスタム項目に対応）を表示する。ここでも、操作部２６の操作により各欄に対し書き換えや書き込みなどのデータ編集が可能となっており、データ編集があった場合はこれに従ってデータベースＤｂが更新される。
【００９１】
この詳細データ表示機能により、各流体漏洩箇所のデータを流体漏洩箇所ごとに一括して把握・管理でき、データベース表示機能と組み合わせることで、データベースＤｂを有効に管理できる。
【００９２】
〔漏洩箇所マップ作成部３４〕
漏洩箇所マップ作成部３４は、データベース管理部３２を介してデータベースＤｂにアクセスし、図１５ａに示すように、対象のプラントの全体構成図画像（又は部分構成図画像）に対して、各流体漏洩箇所のプラントにおける位置である位置データについて、全体構成図画像上の各位置データに対応する配置に、流体漏洩箇所であることを示す表示子を重ねて表示したマップ画像（漏洩箇所表示画像に相当）Ｐｅを作成し、表示部３０に表示する。具体的には、マークＭａの指示位置としてのエリア図画像Ｐａにおける座標値を、全体構成図画像における座標値に変換したものを位置データとして、変換した座標値の示す配置を表示子の配置とする。マップ画像Ｐｅにおいて、表示子は、対応する前記各流体漏洩箇所における流体漏洩量及び漏洩流体種とそれぞれ関連付けた状態で表示する構成にしてある。具体的には、図１５ａでは、流体漏洩量を４段階に区分けし流体漏洩量が多い段階に属する表示子ほど表示子を大きく表示し、また、漏洩流体種ごとに設定した色で表示子を色分けして表示してある。なお、ここでは、表示子を各流体漏洩箇所における流体漏洩量及び漏洩流体種と関連付けたものを示したが、例えば、各流体漏洩箇所の属するエリア、階や、流体漏洩を起こしている装置やその部位（即ち、収集データＤのうちの対象部材や対象部位）、検出日時、診断担当者名など、他のデータと関連付けて表示してもよい。
【００９３】
漏洩箇所マップ作成部３４は、操作部２６による指示に応じて、特定の表示子のみをマップ画像Ｐｅ上に表示したり、マップ画像Ｐｅを拡大又は縮小して表示したり、表示子の表示形態を変更して表示するようにしてある。
【００９４】
具体的には、操作部２６により選択した１又は２以上の漏洩流体種と関連付けた表示子のみをマップ画像Ｐｅ上に表示することができる。例えば、図１５ｂでは、流体漏洩種が流体種４である表示子のみ表示するようにしてある。なお、漏洩流体種に限らず、操作部２６により選択した流体漏洩量の段階に属する表示子のみマップ画像Ｐｅ上に表示できる。また、表示子を他の収集データＤと関連付けてある場合は、表示子と関連付けてある各データの中での分類種（例えば、流体漏洩を起こしている装置と表示子を関連付けた場合は、その装置の種別）のうち、操作部２６により選択した分類種に属する表示子のみマップ画像Ｐｅ上に表示することができる。また、修理済みの流体漏洩箇所に対応する表示子を非表示とすることもできる。
【００９５】
また、マップ画像Ｐｅの拡大又は縮小に加え、表示画面のスクロールによりマップ画像Ｐｅの表示箇所を変更することができる。図１５ｃは、マップ画像Ｐｅの拡大及びスクロールにより、図１５ａにおいて破線で囲ってある箇所を拡大表示したものを示す。
【００９６】
また、操作部２６による指示に応じた比率で全表示子のサイズを一律に変更（拡大又は縮小）してマップ画像Ｐｅ上に表示することができる。表示する表示子の形状（○や△や□など）や色、大きさも自由に変更することができ、また、各データとの関連付けの形態（つまり各データの分類種ごとにどのような表示子の表示形態を変更するか）も自由に変更できる。
【００９７】
さらに、図１５ｃに示すように、操作部２６により表示子を選択することにより、データベースＤｂにアクセスして、選択された表示子に対応する流体漏洩箇所の詳細データとして、流体漏洩を起こしている装置とその部位（即ち、収集データＤのうちの対象部材や対象部位）、流体漏洩箇所における流体漏洩量、流体漏洩箇所における漏洩流体種、及び、流体漏洩箇所の撮影画像Ｐｂをマップ画像Ｐｅに並べて表示する。
【００９８】
なお、複数のプラントについての収集データＤがデータベースＤｂに蓄積的に記憶されている場合は、複数のプラントのうち操作部２６により選択したプラントについてのマップ画像Ｐｅを表示し、操作部２６による指示により目的のプラントのマップ画像Ｐｅに適宜切り換えて変更する。
【００９９】
この漏洩箇所マップ作成部３４により、対象のプラントにおいて流体漏洩箇所数が多いエリアについては設備の劣化が進んでいることが推定されたり、流体漏洩箇所数や流体漏洩量が異常に多い場合には設備に何らかの不良が生じていることが推定されるなど、マップ画像Ｐｅに表示される表示子の分布の傾向から設備の劣化度合いや設備不良を推定することができる。また、表示子の分布から対象のプラントにおける流体漏洩のデータ分布の傾向を把握することができ、どのエリアや使用流体種について重点的に診断を行うべきか又は頻繁に診断を行うべきかなど、今後の流体漏洩診断の効率的な計画を立案できる。このように、漏洩箇所マップ作成部３４を利用して種々の分析を行うことができる。
【０１００】
〔漏洩傾向推定部３５〕
データベースＤｂに過去に同一プラントについて行った流体漏洩診断の結果が蓄積されて保存されている場合、漏洩傾向推定部３５では、過去から現在に至るまで行われた複数回の流体漏洩診断におけるプラントの流体漏洩箇所に関する情報をまとめた、対象のプラントにおける経時的な流体漏洩の傾向を示す流体漏洩傾向情報を生成し、表示部３０に表示する。流体漏洩診断が行われた場合には、その診断結果に基づき流体漏洩箇所の補修が行われているため、基本的には、過去から現在にわたる複数回の流体漏洩診断のデータは、その前に行われた流体漏洩診断からそのときの流体漏洩診断までの間に新たに発生した流体漏洩箇所のデータとなっている。このため、流体漏洩傾向情報は、過去から現在にわたる複数回の流体漏洩診断における各期間（前に行われた流体漏洩診断からそのときの流体漏洩診断までの期間）において新たに発生した流体漏洩箇所に関する情報を示すものとなる。
【０１０１】
例えば、流体漏洩傾向情報として、漏洩箇所マップ作成部３４により作成される各回の流体漏洩診断におけるマップ画像Ｐｅ（つまり、対象のプラントの全体構成図画像に対して、全体構成図画像上の各流体漏洩箇所の位置データに対応する配置に、流体漏洩箇所であることを示す表示子を重ねて表示する画像）を並べた画像を生成する。または、対象のプラントの全体構成図画像に対して、全体構成図上の各流体漏洩箇所の位置データに対応する配置に、流体漏洩箇所であることを示す表示子を重ねて表示するとともに、各回の流体漏洩診断ごとにその診断での流体漏洩箇所を示す表示子の表示形態（色又は形状（○や△や□など））を変えて表示したマップ画像Ｐｅを生成してもよい。また、流体漏洩傾向情報として、対象のプラント全体について、又は、対象のプラントにおけるエリアごとについて、各回の流体漏洩診断における漏洩流体種ごとの合計流体漏洩箇所数や合計流体漏洩量などを並べたデータを生成させてもよい。流体漏洩傾向情報として表示する流体漏洩診断のデータは、過去から現在にわたる全流体漏洩診断についてのデータでもよく、全流体漏洩診断のうち選択した回のデータのみについてでもよい。
【０１０２】
この流体漏洩傾向情報によれば、過去から現在にわたる対象のプラントでの流体漏洩箇所や漏洩流体種、流体漏洩量の推移が把握でき、経時的な傾向も含めて、対象のプラントにおける流体漏洩の傾向が把握できる。これにより、例えば、対象のプラントにおいて流体漏洩を起こす頻度が高いエリアについては設備の劣化が進んでいることが推定され、過去の傾向に比べ流体漏洩箇所数や流体漏洩量が異常に増加する方向に流体漏洩が推移した場合には設備に何らかの不良が生じていることが推定されるなど、流体漏洩箇所のデータ分布の傾向に加えて流体漏洩の経時的な傾向も加味した推定を行うことができ、これにより、設備の劣化度合いや設備不良を一層的確に推定することができる。また、流体漏洩箇所のデータ分布の傾向に加えて流体漏洩の経時的な傾向も考慮することで、対象のプラントにおける適切な流体漏洩診断の間隔や、どのエリアや使用流体種について重点的に診断を行うべきか又は頻繁に診断を行うべきかなど、今後の流体漏洩診断の計画として一層効率的なものを立案できる。また、過去から現在にわたる対象のプラントの流体漏洩の推移から、流体漏洩診断とこの診断結果に基づく補修を継続して行うことによる効果を確認できる。
【０１０３】
なお、漏洩傾向推定部３５は、流体漏洩傾向情報など各回の流体漏洩診断における流体漏洩箇所のデータから示される対象のプラントにおける流体漏洩の推移に基づいて、対象のプラントにおける経時的な流体漏洩の傾向を分析して、流体漏洩の推移及び経時的な流体漏洩の傾向から対象のプラントにおける設備の劣化度合い及び設備不良を評価するアルゴリズムや、流体漏洩の推移・傾向に応じた今後の流体漏洩診断の計画を作成するアルゴリズムを備えていてもよく、これにより、漏洩傾向推定部３５は、流体漏洩傾向情報を生成して表示するだけでなく、設備の劣化度合いや設備不良についての評価情報や今後の流体漏洩診断の計画を生成し、表示部３０に表示するようにしてもよい。
【０１０４】
〔プラント対比情報生成部３６〕
データベースＤｂに複数のプラントについて行った流体漏洩診断の結果が蓄積されて保存されている場合、プラント対比情報生成部３６では、対比対象とする２以上のプラントにおける流体漏洩の傾向を対比するプラント対比情報を生成して、表示部３０に表示する。例えば、プラント対比情報として、漏洩箇所マップ作成部３４により作成される各プラントにおけるマップ画像Ｐｅをプラントごとに並べたものを生成する。また、プラント対比情報として、対比するプラント全体について、又は、対比するプラントにおけるエリアごとについて、流体漏洩診断における各漏洩流体種の合計流体漏洩箇所数及び合計流体漏洩量を並べたデータを生成する。対比するプラントについて、データベースＤｂに過去から現在にわたるまでの複数回の流体漏洩診断のデータが蓄積されている場合には、データベースＤｂに記録された複数回の流体漏洩診断のうち操作部２６により選択した回の流体漏洩診断におけるデータについてプラント対比情報を生成することができ、また、プラント対比情報として、漏洩傾向推定部３５により生成する流体漏洩傾向情報を対比するプラントごとに並べたデータを生成することができる。また、プラント対比情報において対比するプラントの数は特に限定されず、２以上のどのような数であってもよい。
【０１０５】
このプラント対比情報によれば、対比するプラントにおける流体漏洩の違い（流体漏洩箇所の分布、漏洩流体種、流体漏洩量などの各種データの傾向の違いや、過去から現在にわたるまでの流体漏洩の経時的な傾向の違い）が把握できる。そして、これらの流体漏洩の違いと、対比するプラントの運転条件の違い（プラントの設備構成、稼働時間、各種の流体の使用量など）との関連性を分析することで、対比するプラントにおける流体漏洩の違いがプラントのどのような運転条件の違いに起因しているのか、即ち、流体漏洩の違いの原因が推定でき、これにより、対象のプラントにおける流体漏洩への対策を講じることができる。
【０１０６】
なお、プラント対比情報生成部３６は、対比するプラントの運転条件を外部から読み込み、対比するプラントにおける流体漏洩の違いと運転条件の違いとの関連性を分析するアルゴリズムや、分析した関連性に基づいて対比するプラントにおける流体漏洩の違いの原因を推定し、対象のプラントにおける流体漏洩への対策を提案するアルゴリズムを備えていてもよく、これにより、プラント対比情報生成部３６は、プラント対比情報を生成して表示するだけでなく、対比するプラントにおける流体漏洩の違いと運転条件の違いとの関連性の分析結果、流体漏洩の違いの原因、流体漏洩への対策を生成し、表示部３０に表示するようにしてもよい。
【０１０７】
〔診断計画評価部３７〕
プラントに対する流体漏洩診断は、予め計画した診断行程に沿って複数日にわたって行われる。そして、流体漏洩診断は必ずしもプラントの全箇所について行われるものではなく、プラントの規模やその設備の複雑さと診断に要する費用との兼ね合いから、限られた日程の中で、予めプラントにおいて診断するエリアや装置などを限定して流体漏洩診断を行う場合もある。この場合、何らかの基準に基づいて診断計画として診断するエリアや装置、診断経路などを定めることになるが、この診断計画は診断を行うプラントについて必ずしも適切なものであるとは限らない。このため、流体漏洩診断の途中において、想定される数の流体漏洩箇所の発見がないような場合もありえ、そうすると残りの診断において診断計画の変更を検討する必要が生じる。
【０１０８】
このような場合に対し、診断計画評価部３７では、流体漏洩診断の途中のプラントについて、プラントの全体構成図画像（又は部分構成図画像）を流体漏洩診断において診断済みの領域と未診断の領域とに区別して表示するとともに、プラントの全体構成図上に、診断された領域で探知された各流体漏洩箇所の位置データ（マークＭａの指示位置）に対応する各配置に表示子をそれぞれ重ねて表示した診断範囲表示画像を生成して表示部３０に表示する。診断済みの領域と未診断の領域とに区別して表示する形態としては、診断された領域を線で囲ったり、診断された領域と未診断の領域とを色分けして表示するなどにより行う。漏洩箇所マップ作成部３４と同様に、表示子は、対応する前記各流体漏洩箇所における流体漏洩量及び漏洩流体種とそれぞれ関連付けた状態で表示する。
【０１０９】
この診断範囲表示画像によれば、流体漏洩診断を行った領域と、その領域における流体漏洩箇所、漏洩流体種、流体漏洩量の分布の傾向が把握できる。これにより、診断済みの領域に対して行った診断計画が妥当なものかを評価できる。さらに、診断された領域における流体漏洩の傾向から未診断の領域における流体漏洩の傾向を推測することができる。診断計画の評価や、未診断の領域における流体漏洩の傾向の推測は、例えば、診断された領域における流体漏洩の傾向に基づいて、過去のそのプラントにおける流体漏洩の傾向や他のプラントにおける流体漏洩の傾向などを参照することにより行う。そして、例えば、本来診断予定のなかった領域で流体漏洩が群発している可能性が推定された場合には診断計画を変更してその領域について診断を行うようにするなど、推測された未診断の領域における流体漏洩の傾向に基づいて未診断の領域に対する流体漏洩診断の計画を、流体漏洩の傾向にあわせた効果的な計画に変更できる。このように、診断計画評価部３７により、流体漏洩診断を行いながら、随時、流体漏洩診断の計画の妥当性を評価すると共に、その計画をより効果的な計画に変更できる。
【０１１０】
なお、診断行程表示部は、診断された領域における流体漏洩の傾向から現在の診断計画の妥当性を評価すると共に未診断の領域における流体漏洩の傾向を推測するアルゴリズムや、推測された未診断の領域における流体漏洩の傾向に基づいて未診断の領域に対する流体漏洩診断の計画を提案するアルゴリズムを備えていてもよく、これにより、診断行程表示部は、診断範囲表示画像を生成して表示するだけでなく、外部から対象のプラントにおける診断計画を読み取って、現在の診断計画の妥当性についての評価情報、未診断の領域における流体漏洩の傾向の情報や未診断の領域に対する流体漏洩診断の計画を生成し、表示部３０に表示するようにしてもよい。この場合、流体漏洩診断を行う過去のプラントについての流体漏洩診断で収集したデータや他のプラントにおける流体漏洩診断で収集したデータをデータベースＤｂに蓄積して記憶しておき、この蓄積したデータに基づいて現在の診断計画の妥当性の評価や未診断の領域における流体漏洩の傾向を推測するようにしてもよい。
【０１１１】
〔配管接続推定部３８〕
一般に種々のガス、エア、蒸気など種々の流体が使用されているプラントでは、そのプラント施工後に、配管や装置の修理や交換などに伴い配管に枝管が足されている。そうすると配管の接続状態が複雑となり、どの配管とどの配管とが接続されているのかなど、その把握が困難となる。さらに、プラント施工時の配管図から更新していない場合には、配管図に載らない配管がプラント中に存在することになる。しかし、配管の接続状態を正確に把握できないのはプラントの管理上問題である。
【０１１２】
このような場合に対し、配管接続推定部３８では、対象のプラントにおける配管図を外部から読み込み、読み込んだ配管図上に、各流体漏洩箇所の位置データ（マークＭａの指示位置を配管図における位置に変換したもの）に対応する各配置に表示子をそれぞれ重ねて表示した配管接続推定画像を生成し、表示部３０に表示する。または、配管接続推定部３８は、読み込んだ配管図と、プラントの全体構成図（又は部分構成図）上に流体漏洩箇所であることを示す表示子を重ねて表示した上記マップ画像Ｐｅのうち該配管図の示す範囲と対応する範囲の画像とを並べて表示した配管接続推定画像を生成してもよい。
【０１１３】
これら配管接続推定画像に基づけば、例えば、読み込んだ配管図上で配管がない位置に流体漏洩箇所が位置している場合には、その位置にプラント施工時から新たに配管が設けられていることがわかる。また、流体漏洩箇所の分布の傾向（例えば、流体漏洩箇所が特定の配管列に対して連続している、特定の配管列には流体漏洩箇所の発生が見られないなど）に基づいて、配管図上において接続状態となっている配管の列を推定することができる。このように、配管接続推定画像から配管の接続状態を推定することができ、これに基づき配管図を更新することができる。さらに、流体の流通を断っている未使用配管上に流体漏洩箇所が位置している場合には、その未使用配管に対する流体の流通が完全に断たれていないことがわかる。
【０１１４】
なお、読み込んだ配管図上で配管がない位置に流体漏洩箇所が位置している場合には、その流体漏洩箇所に対応する表示子が強調して表示されるようにしてもよい。これにより、その位置にプラント施工時から新たに配管が設けられていることが容易に発見できる。また、読み込んだ配管図上において、流体の流通を断っている未使用配管については色を変えて表示するなど使用中の配管と区別して表示するようにしてもよく、さらに、未使用配管上に流体漏洩箇所が位置する場合には、その流体漏洩箇所に対応する表示子が強調して表示されるようにしてもよい。これにより、未使用配管に流体漏洩が発生していることが容易に把握でき、未使用配管への流体の流通が完全に断たれていないことが容易に発見できる。表示子を強調する方法としては、表示子を大きく表示する、表示子の色を変えて表示する、表示子の線を太くして表示するなど、他の表示子に比べ強調して表示される方法であればどのようなものであってもよい。
【０１１５】
また、配管接続推定部３８は、流体漏洩箇所の分布の傾向から配管図上において接続状態となっている配管の列を推定するアルゴリズムを備えていてもよく、これにより、配管接続推定部３８が配管の接続状態の推定情報を生成し、この推定情報に従って、接続状態にあると推定された配管の列を、強調して表示したり、同一の色で表示したり、線でなぞって表示するなど、配管が接続状態であることを示す状態で、配管接続推定画像を表示するようにしてもよい。
【０１１６】
〔補修スケジュール作成部３９〕
補修スケジュール作成部３９では、各流体漏洩箇所の位置データなどに基づいて、プラントの流体漏洩箇所に対する補修スケジュールＳを作成し、表示部３０に表示する。例えば、補修対象の流体漏洩箇所の位置データに基づき、補修作業における総移動距離又は総移動時間が短くなる補修作業順を演算により求める。そして、各流体漏洩箇所について、流体漏洩箇所における流体漏洩量、流体漏洩箇所における漏洩流体種、対象部材（流体漏洩を起こしている装置）、対象部位（流体漏洩を起こしている装置における部位）、場所詳細情報、及び、流体漏洩箇所の撮影画像Ｐｂ、配置図画像Ｐｄ２をまとめた補修伝票を生成し、補修スケジュールＳとして、図１６に示すような、演算した補修作業順に補修伝票を並べたデータを作成する。この場合、プラントのエリアごとに、各エリアにおける流体漏洩箇所の補修作業順を求めてもよい。
【０１１７】
また、流体漏洩量が少ない流体漏洩箇所については補修作業を行わず放置していくこともあり得る。このため、補修スケジュールＳの作成において、各流体漏洩箇所における流体漏洩量から補修作業を行う流体漏洩箇所を絞り込み、絞り込んだ流体漏洩箇所について補修スケジュールを作成するようにしてもよい。
【０１１８】
なお、対象部材及び対象部位に応じて、その流体漏洩箇所の補修に必要な交換部材や道具など補修作業の種類が異なることとなり、補修に必要な交換部材や道具上の要請から、効率的な補修作業を行うためには補修作業における総移動距離を重視するよりも、補修作業の種類が同じ流体漏洩箇所を優先して補修を行う方がよい場合もありえる。このため、補修作業の演算において、流体漏洩箇所の位置データだけでなく、対象部材及び対象部位を考慮して、補修作業順を求めてもよい。
【０１１９】
〔金額換算部４０〕
金額換算部４０は、各流体漏洩箇所における流体漏洩量からその金額換算値を演算し、金額換算表を生成する。例えば、データベースＤｂに記録された各流体漏洩箇所における流体漏洩量が単位時間当たりの流体漏洩量である場合は、修理済みの流体漏洩箇所を除く全流体漏洩箇所について、漏洩流体種ごとに単位時間当たりの合計流体漏洩量を演算し、この漏洩流体種ごとの単位時間当たりの合計流体漏洩量と年間のプラントの稼働時間と各使用流体における単位流体量当たりの単価とに基づいて、合計流体漏洩量×稼働時間×単価から、漏洩流体種ごとの金額換算値を演算するとともに、全漏洩流体種における金額換算値を合算して、対象のプラントにおける年間の流体漏洩による損失額を演算する。そして、図１７に示すような、漏洩流体種ごとの金額換算値（つまり、各漏洩流体種についての年間の流体漏洩による損失額）と対象のプラントにおける年間の流体漏洩による損失額とからなる金額換算表Ｍを生成して、表示部３０に表示する。
【０１２０】
この金額換算部４０により、現在、流体漏洩によりどれだけの損失がプラントに生じているかが把握でき、これにより、流体漏洩箇所を補修することによりどれだけの経済効果があるのかを明確に把握できる。
【０１２１】
〔コンプレッサー判定部４１〕
コンプレッサー判定部４１では、対象のプラントにおける流体漏洩箇所についての合計流体漏洩量に基づいて、対象のプラントにおける流体漏洩箇所を補修したと仮定したときの補修後のプラントに対し、対象のプラントにおけるコンプレッサーの台数及び型式が適正であるかを判定するためのコンプレッサー判定情報を生成する。
【０１２２】
具体的には、まず、対象のプラントにおいて使用しているコンプレッサーの台数と各型式とその型式に応じた送出可能流体量Ｌｄ、及び、対象のプラントにおける各使用流体種の単位時間当たりの流体使用量Ｌａを外部から読み込んで取得する。そして、データベースＤｂに記憶された各流体漏洩箇所における流体漏洩量から各流体種の単位時間当たりの合計流体漏洩量Ｌｂを演算し、さらに、各使用流体種の流体使用量Ｌａから各流体種の合計流体漏洩量Ｌｂを減算することで、補修後のプラントの稼働に必要な補修後流体使用量Ｌｃを演算する。
【０１２３】
なお、各流体種の単位時間当たりの合計流体漏洩量Ｌｂは、対象のプラントにおける各使用流体種の単位時間当たりの流体使用量Ｌａのうち、流体漏洩箇所の補修により削減可能な流体漏洩量であり、また、プラントの稼働とは関連せずプラントにおいてコンプレッサーから無駄に発生されている流体の量に相当する。つまり、各使用流体種の流体使用量Ｌａから各流体種の合計流体漏洩量Ｌｂを減算して得られる必要流体使用量Ｌｃはプラントの稼働において真に必要十分な流体使用量を意味する。
【０１２４】
また、各使用流体種について、その流体の送出に用いるコンプレッサーごとに、その型式の機種が送出可能な流体量である送出可能流体量Ｌｄを合算した合計送出可能流体量Ｌｅを演算する。
【０１２５】
そして、プラントで使用しているコンプレッサーの台数と各型式についての判定のため、コンプレッサー判定部４１は、コンプレッサー判定情報として、使用流体種ごとに、対象のプラントにおける単位時間当たりの流体使用量Ｌａと、単位時間当たりの合計流体漏洩量Ｌｂと、単位時間当たりの補修後流体使用量Ｌｃと、使用流体の送出に用いるコンプレッサーごとの型式に応じた送出可能流体量Ｌｄと合計送出可能流体量Ｌｅとを並べたデータを生成し、表示部３０に表示する。このコンプレッサー判定情報によって、補修後流体使用量Ｌｃと送出可能流体量Ｌｄ及び合計送出可能流体量Ｌｅとを比較することにより、補修後流体使用量Ｌｃに相当する量の流体を送出するのに、必要以上の台数のコンプレッサーを用いることになることや、必要以上に送出可能流体量Ｌｄが多いコンプレッサーを用いることになることがわかるなど、流体漏洩によって現在使用しているコンプレッサーにどれだけ無駄があるのかが評価できる。さらに、補修後流体使用量Ｌｃに基づき、最適なコンプレッサーの台数や型式の組み合わせを考案できる。
【０１２６】
これにより、金額換算部４０により把握できる流体漏洩そのものによるプラントにおける損失だけでなく、流体漏洩に伴うコンプレッサーの使用状況の無駄による損失も把握することができて、流体漏洩箇所を補修することによりどれだけの経済効果があるのかを一層明確に把握できる。
【０１２７】
なお、各種の単位時間当たりの流体量Ｌａ〜Ｌｅをコンプレッサー判定情報として表示部３０に表示しコンプレッサーの台数と各型式についての判定を行う例を示したが、流体量Ｌａ〜Ｌｅに対応する電力量Ｗａ〜Ｗｅを入力又は演算し、これら電力量Ｗａ〜Ｗｅをコンプレッサー判定情報として表示部３０に表示しコンプレッサーの台数と各型式についての判定を行ってもよい。この場合、表示するコンプレッサー判定情報は、対象のプラントにおける単位時間当たりのコンプレッサーの電力消費量Ｗａと、単位時間当たりの合計流体漏洩量Ｌｂを電力に換算した換算電力量Ｗｂと、単位時間当たりの補修後電力使用量Ｗｃと、使用流体の送出に用いるコンプレッサーごとの型式に応じた最大電力消費量Ｗｄとその合計電力消費量Ｗｅとからなる。
【０１２８】
また、コンプレッサー判定部４１は、コンプレッサー判定情報に基づいて、流体漏洩箇所を補修したと仮定したときの補修後のプラントに対し、現在使用しているコンプレッサーの台数と各型式とが適正かどうかを判定するアルゴリズムや、コンプレッサー判定情報に基づいて補修後流体使用量Ｌｃに対する最適なコンプレッサーの台数や型式の組み合わせを導出するアルゴリズムを備えていてもよく、これにより、コンプレッサー判定部４１が、プラントで使用しているコンプレッサーの台数と各型式とについての判定や流体漏洩箇所の補修後における最適なコンプレッサーの組み合わせの導出を行い、現在使用しているコンプレッサーの判定情報と補修後の最適なコンプレッサーの組み合わせ情報とを生成して、表示部３０に表示してもよい。
【０１２９】
〔診断レポート作成部４２〕
診断レポート作成部４２は、上記各種機能部により作成したデータ及び画像の全部又はそのうちの選択したものをまとめた診断レポートＸを作成する。例えば、図１８に示すように、診断レポートとして、金額換算部４０による金額換算表Ｍ、データベース管理部３２におけるデータを抽出した漏洩箇所一覧表、漏洩箇所マップ作成部３４によるマップ画像Ｐｅ、補修スケジュール作成機能による補修スケジュールＳをまとめたものを作成する。
【０１３０】
〔本件発明の実施〕
本件発明を用いたプラントのメンテナンスは、例えば次の（ａ）〜（ｅ）の手順で行う。
【０１３１】
（ａ）プラントのメンテナンスの依頼者との協議により、プラントに対する流体漏洩診断の範囲を決定する。具体的には、流体漏洩診断を行うのをプラントの全範囲とするか又は一部領域とするか、流体漏洩診断を全設備について行うか又は特定の装置のみについて行うかなどを依頼者との打ち合わせにより決定する。この場合、少なくとも、発見した流体漏洩箇所に対する補修を行った後にその効果が把握できる診断範囲を設定する。
【０１３２】
（ｂ）依頼者からプラントの全体構成図（又は部分構成図）や診断対象とするエリアのエリア図を取得し、ホストコンピュータ２４や漏洩検出装置Ｒに全体構成図画像やエリア図画像を入力する。また、これら全体構成図やエリア図をもとに流体漏洩診断の計画を立案する。
【０１３３】
（ｃ）依頼者との協議により決定した範囲について、立案した診断計画に基づき流体漏洩診断を行い、収集したデータＤをホストコンピュータ２４に入力して収集データＤを蓄積的にデータベースＤｂに格納する。この際、必要に応じて診断計画評価部３７による診断範囲表示画像に基づき、進行中の流体漏洩診断の計画を評価するとともに残りの箇所に対する計画の変更を検討する。
【０１３４】
（ｄ）全診断行程を終え全流体漏洩箇所についての収集データＤをホストコンピュータ２４に入力したら、ホストコンピュータ２４における分析処理部３３により各種の分析を行う。そして、診断レポート作成部４２により分析処理部３２が生成する画像や情報をまとめた診断レポートＸを作成する。なお、流体漏洩箇所を捕集することにより得られる経済効果、発見された流体漏洩箇所に対する補修作業の計画や今後のメンテナンス計画の立案、プラントの設備改善に関する情報を含んだものとなっている。
【０１３５】
（ｅ）診断レポートＸの作成後、この診断レポートＸにおける補修スケジュールＳに基づき補修作業を行う。また、依頼者に診断レポートＸを提示し、例えば、金額換算表Ｍやコンプレッサー判定情報から流体漏洩箇所の補修を行うことの経済効果を提示したり、他のプラントにおける流体漏洩診断の結果を利用してプラント対比情報生成部３６によりプラント対比情報を生成した場合は、プラント対比情報に基づく対象のプラントにおける流体漏洩への対策を提示したりするなど、プラントのメンテナンスによる効果を依頼者に提示する。
【０１３６】
そして、診断レポートＸの提示とともに、依頼者に対し今後のプラントのメンテナンスの提案を行う。具体的には、アウトソーシングにより定期的な流体漏洩診断を行うか、又は、漏洩検出装置Ｒなどの装置を購入し依頼者自身により流体漏洩診断を行うかのいずれによりプラントのメンテナンスを行うかを提案する。
【０１３７】
依頼者がアウトソーシングによる流体漏洩診断を選択した場合は、対象のプラントについて流体漏洩診断を行っていない範囲があれば、残りの範囲についての流体漏洩診断の計画を立案し、流体漏洩診断と診断により発見した流体漏洩箇所の補修を行う。そして、診断レポートＸを参照しながら、今後のプラントのメンテナンスの計画（周期など）を打合せにより決定する。
【０１３８】
依頼者が漏洩検出装置Ｒなどの装置を購入し依頼者自身により流体漏洩診断を行うことを選択した場合は、診断レポートＸを参照しながら、どのような基準でプラントのメンテナンスを運用していくべきかを依頼者に対し提案する。また、診断担当者を決定し、診断担当者に対し漏洩検出装置Ｒを用いた流体漏洩診断のトレーニングを行う。
【０１３９】
〔別実施形態〕
（１）上記した漏洩傾向推定部３５により実現される機能は、ホストコンピュータ２４に限らず、
プラントに対する流体漏洩診断の結果として流体漏洩診断により検出された各流体漏洩箇所のデータが入力される入力部と、前記入力部に入力された前記データを蓄積的に保存する記憶部とを備える流体漏洩データの管理装置であって、
前記記憶部に蓄積的に保存された同一のプラントについての複数回の流体漏洩診断の結果から、対象のプラントにおける経時的な流体漏洩の傾向を示す流体漏洩傾向情報を生成する漏洩傾向推定部を備える管理装置、
によっても実現できる。
【０１４０】
別実施形態（１）の管理装置において、前記漏洩傾向推定部は、前記流体漏洩傾向情報として、前記対象のプラントの構成図画像に対し、前記入力部に入力された前記各流体漏洩箇所の前記対象のプラントにおける位置である各位置データについて、前記構成図画像上の前記各位置データに対応する配置に、流体漏洩箇所であることを示す表示子を重ねて表示した漏洩箇所表示画像を各回の流体漏洩診断ごとに生成して、前記漏洩箇所表示画像を並べた画像を生成する構成にしてもよい。
【０１４１】
別実施形態（１）の管理装置において、前記漏洩傾向推定部は、前記流体漏洩傾向情報として、前記対象のプラントの構成図画像に対して、全回の流体漏洩診断についての前記各流体漏洩箇所の前記対象のプラントにおける位置である各位置データについて、前記構成図画像上の前記各位置データに対応する配置に、流体漏洩箇所であることを示す表示子を重ねて表示するとともに、各回の流体漏洩診断ごとにその診断で検出された流体漏洩箇所を示す前記表示子の表示形態を変えて表示した画像を生成する構成にしてもよい。
【０１４２】
別実施形態（１）の管理装置において、前記漏洩傾向推定部は、前記流体漏洩傾向情報として、前記対象のプラント全体について、又は、前記対象のプラントにおけるエリアごとについて、各回の流体漏洩診断における漏洩流体種ごとの合計流体漏洩箇所数及び合計流体漏洩量を並べたものを生成する構成にしてもよい。
【０１４３】
別実施形態（１）の管理装置において、前記漏洩傾向推定部は、各回の流体漏洩診断における流体漏洩箇所のデータから示される対象のプラントにおける流体漏洩の推移に基づいて、前記対象のプラントにおける経時的な流体漏洩の傾向を分析して、流体漏洩の推移及び経時的な流体漏洩の傾向から前記対象のプラントにおける設備の劣化度合い及び設備不良を評価した評価情報を生成する構成にしてもよく、さらに、流体漏洩の推移及び経時的な流体漏洩の傾向から将来の流体漏洩診断の計画を生成する構成にしてもよい。
【０１４４】
なお、別実施形態（１）の管理装置は上記した構成を単独で採用するだけでなく、組み合わせて採用することが可能である。また、別実施形態（１）の管理装置は、ホストコンピュータ２４が有するその他の機能を有するものであってもよい。
【０１４５】
（２）上記したプラント対比情報生成部３６により実現される機能は、ホストコンピュータ２４に限らず、
プラントに対する流体漏洩診断の結果として流体漏洩診断により検出された各流体漏洩箇所のデータが入力される入力部と、前記入力部に入力された前記データを蓄積的に保存する記憶部とを備える流体漏洩データの管理装置であって、
前記記憶部に蓄積的に保存された複数のプラントについての流体漏洩診断の結果から、対比対象とする２以上のプラントにおける流体漏洩の傾向を対比するプラント対比情報を生成するプラント対比情報生成部を備える管理装置、
によっても実現できる。
【０１４６】
別実施形態（２）の管理装置において、プラント対比情報生成部は、前記プラント対比情報として、前記対比対象のプラントの各構成図画像に対し、前記入力部に入力された前記各流体漏洩箇所の前記対象のプラントにおける位置である各位置データについて、前記各全体構成図画像上の前記各位置データに対応する配置に、流体漏洩箇所であることを示す表示子を重ねて表示した漏洩箇所表示画像を前記対比対象のプラントごとに生成して、前記漏洩箇所表示画像を並べた画像を生成する構成にしてもよく、また、前記プラント対比情報として、前記対比対象のプラント全体について、又は、前記対比対象のプラントそれぞれにおけるエリアごとについて、漏洩流体種ごとの合計流体漏洩箇所数及び合計流体漏洩量を並べたものを生成する構成にしてもよい。
【０１４７】
別実施形態（２）の管理装置は、前記記憶部に蓄積的に保存された同一のプラントについての複数回の流体漏洩診断の結果から、対象のプラントにおける経時的な流体漏洩の傾向を示す流体漏洩傾向情報を生成する漏洩傾向推定部を備え、前記プラント対比情報生成部は、前記プラント対比情報として、前記対比対象のプラントにおける前記流体漏洩傾向情報を並べたものを生成する構成にしてもよい。
【０１４８】
別実施形態（２）の管理装置において、前記入力部には前記対比対象のプラントにおける運転条件が入力され、前記プラント対比情報生成部は、前記対比対象のプラントに対する流体漏洩診断における流体漏洩箇所のデータから示される前記対比対象のプラントにおける流体漏洩の違いと、前記対比対象のプラントにおける前記運転条件の違いとの関連性を分析した分析結果情報を生成する構成にしてもよく、さらに、前記プラント対比情報生成部は、分析した前記関連性に基づいて対比対象のプラントにおける流体漏洩の違いの原因を推定した評価情報及び前記原因に対する対比対象のプラントへの対策案を生成する構成にしてもよい。
【０１４９】
なお、別実施形態（２）の管理装置は上記した構成を単独で採用するだけでなく、組み合わせて採用することが可能である。また、プラント対比情報において対比する流体漏洩傾向情報は、漏洩傾向推定部３５で生成するものを採用できる。さらに、別実施形態（２）の管理装置は、ホストコンピュータ２４が有するその他の機能を有するものであってもよい。ここで、流体漏洩の違いとは、流体漏洩箇所の分布、漏洩流体種、流体漏洩量などの各種データの傾向の違いや、過去から現在にわたるまでの流体漏洩の経時的な傾向の違いなどであり、プラントの運転条件の違いとは、プラントの設備構成、稼働時間、各種の流体の使用量などをいう。
【０１５０】
（３）上記した診断計画評価部３７により実現される機能は、ホストコンピュータ２４に限らず、
プラントに対する流体漏洩診断により収集される各流体漏洩箇所のデータが入力される入力部を備える流体漏洩データの管理装置であって、
所定の診断計画に従って行われるプラントに対する流体漏洩診断の途中において前記入力部に入力された前記データに基づいて、前記プラントに対する流体漏洩診断における前記診断計画についての評価情報を生成する診断計画評価部を備える管理装置、
によっても実現できる。
【０１５１】
別実施形態（３）の管理装置は、前記入力部に入力された前記データを表示する表示部を備え、前記診断計画評価部は、前記評価情報として、前記プラントの全体構成図画像を流体漏洩診断における診断済みの領域と未診断の領域とに区別して表示する診断範囲表示画像であって、前記診断範囲表示画像に対して、前記入力部に入力された前記各流体漏洩箇所の前記プラントにおける位置である各位置データについて、前記診断範囲表示画像上の前記各位置データに対応する各配置に、流体漏洩箇所であることを示す表示子を重ねて表示した前記診断範囲表示画像を生成して前記表示部に表示する構成にしてもよい。
【０１５２】
別実施形態（３）の管理装置において、前記診断計画評価部は、前記評価情報として、前記プラントに対する流体漏洩診断における流体漏洩箇所のデータの傾向を分析し、分析した傾向に基づいて前記診断計画の妥当性を評価する情報を生成する構成にしてもよく、さらに、分析した傾向に基づいて未診断の領域における流体漏洩の傾向を推測した傾向推測情報を生成する構成にしてもよい。
【０１５３】
別実施形態（３）の管理装置は、前記入力部に入力された前記データを蓄積的に保存する記憶部を備え、前記診断計画評価部は、前記記憶部に蓄積的に保存された同一の又は他のプラントに対する過去の流体漏洩診断における流体漏洩箇所のデータの傾向と前記分析した傾向とに基づいて、前記傾向推測情報を生成する構成にしてもよい。
【０１５４】
別実施形態（３）の管理装置において、前記診断計画評価部は、前記傾向推測情報に基づいて未診断の領域に対する流体漏洩診断の計画を生成する構成にしてもよい。
【０１５５】
なお、別実施形態（３）の管理装置は上記した構成を単独で採用するだけでなく、組み合わせて採用することが可能である。さらに、別実施形態（３）の管理装置は、ホストコンピュータ２４が有するその他の機能を有するものであってもよい。
【０１５６】
（４）上記した配管接続推定部３８により実現される機能は、
プラントに対する流体漏洩診断により収集される各流体漏洩箇所のデータが入力される入力部と、前記入力部に入力された前記データを表示する表示部とを備える流体漏洩データの管理装置であって、前記プラントの全体構成図画像に対して、前記入力部に入力された前記各流体漏洩箇所のうちの前記プラントの配管に生じた前記流体漏洩箇所の前記プラントにおける位置である各位置データについて、前記全体構成図画像上の前記各位置データに対応する配置に、流体漏洩箇所であることを示す表示子を重ねて表示した漏洩箇所表示画像を前記表示部に表示するデータ処理部を備える管理装置を用いて、
前記プラントにおける配管図と前記漏洩箇所表示画像における表示子の配置とを参照することにより、前記プラントにおける配管の接続状態を推定する配管接続推定方法、
によっても実現できる。
【０１５７】
別実施形態（４）の配管接続推定方法において、
前記配管図上で配管がない位置に前記漏洩箇所表示画像上に前記表示子があるときに、前記表示子に対応する位置に新たに配管が設けられていることを推定してもよく、
前記漏洩箇所表示画像上の前記表示子の分布から、前記配管図上において接続状態となっている配管列を推定してもよく、
前記配管図上における流体の流通を断っている未使用配管に対応する位置に前記漏洩箇所表示画像上に前記表示子があるときに、前記未使用配管に対する流体の流通が断たれていないことを推定してもよい。
【０１５８】
また、上記した配管接続推定部３８により実現される機能は、ホストコンピュータ２４や上記方法に限らず、
プラントに対する流体漏洩診断により収集される各流体漏洩箇所のデータが入力される入力部と、前記入力部に入力された前記データを表示する表示部とを備える流体漏洩データの管理装置であって、
前記プラントの配管図画像に対して、前記入力部に入力された前記各流体漏洩箇所の前記プラントにおける位置である位置データのうち、前記プラントの配管に生じた前記流体漏洩箇所の各位置データについて、前記配管図画像上の前記各位置データに対応する各配置に、流体漏洩箇所であることを示す表示子を重ねて表示した配管接続推定画像を前記表示部に表示するデータ処理部を備える管理装置、または、
プラントに対する流体漏洩診断により収集される各流体漏洩箇所のデータが入力される入力部と、前記入力部に入力された前記データを表示する表示部とを備える流体漏洩データの管理装置であって、
前記プラントの全体構成図画像に対して、前記入力部に入力された前記各流体漏洩箇所の前記プラントにおける位置である位置データのうち、前記プラントの配管に生じた前記流体漏洩箇所の各位置データについて、前記全体構成図画像上の前記各位置データに対応する各配置に、流体漏洩箇所であることを示す表示子を重ねて表示した漏洩箇所表示画像を生成するデータ処理部を備え、
前記データ処理部は、前記プラントの配管図画像と、前記漏洩箇所表示画像における前記配管図画像に対応する範囲の画像とを並べて表示した配管接続推定画像を前記表示部に表示する構成にしてある管理装置、
によっても実現できる。
【０１５９】
別実施形態（４）の上記したいずれかの管理装置において、前記データ処理部は、
前記配管接続推定画像において、配管がない位置に前記表示子が位置しているときに、その表示子を強調して表示する構成にしてもよく、
前記配管接続推定画像における前記表示子の分布に基づいて接続状態となっている配管列を推定し、前記配管接続推定画像において、接続状態にあるとされた配管の列を、配管が接続状態にあることを示す状態で表示する構成にしてもよく、
前記配管接続推定画像において、流体の流通を断っている未使用配管に対応する位置に前記表示子が位置するときに、その表示子を強調して表示する構成にしてもよく、この構成において、さらに、前記配管接続推定画像における配管のうち前記未使用配管については他の配管と区別して表示する構成にしてもよい。
【０１６０】
なお、別実施形態（４）の管理装置は上記した構成を単独で採用するだけでなく、組み合わせて採用することが可能である。さらに、別実施形態（４）の管理装置は、ホストコンピュータ２４が有するその他の機能を有するものであってもよい。表示子を強調する方法としては、表示子を大きく表示する、表示子の色を変えて表示する、表示子の線を太くして表示するなど、他の表示子に比べ強調して表示される方法であればどのようなものであってもよい。また、配管が接続状態にあることを示す状態としては、接続状態にあると推定された配管の列を、強調して表示したり、同一の色で表示したり、線でなぞって表示するなど、配管が接続状態にあることを示すものであればどのようなものであってもよい。
【０１６１】
（５）上記した補修スケジュール作成部３９により実現される機能は、ホストコンピュータ２４に限らず、
プラントに対する流体漏洩診断により収集される各流体漏洩箇所のデータが入力される入力部と、前記入力部に入力された前記データに基づき、各流体漏洩箇所についてのデータをまとめた補修作業用データを流体漏洩箇所ごとに生成するデータ処理部とを備える流体漏洩データの管理装置であって、
前記補修作業用データは、流体漏洩を起こしている装置とその詳細部位、流体漏洩箇所の撮影画像であってその撮影画像中の流体漏洩箇所に対応する位置にマークを付した画像、及び、前記プラントの構成図画像であってその構成図画像中の流体漏洩箇所に対応する位置にマークを付した画像からなり、
前記データ処理部は、補修対象とする流体漏洩箇所についての前記補修作業用データを所定の順番で並べた補修スケジュールを生成する構成にしてある管理装置、
によっても実現できる。
【０１６２】
別実施形態（５）の管理装置において、データ処理部は、補修対象とする流体漏洩箇所の前記プラントにおける位置である各位置データにより演算する補修作業における総移動距離又は総移動時間に基づいて、前記補修スケジュールにおける順番を決定する構成にしてもよく、また、さらに、流体漏洩を起こしている装置とその詳細部位により定まる補修作業種も考慮して前記補修スケジュールにおける順番を決定する構成にしてもよく、補修対象とする流体漏洩箇所を、流体漏洩箇所における流体漏洩量に基づいて選定する構成にしてもよい。
【０１６３】
なお、別実施形態（５）の管理装置は上記した構成を単独で採用するだけでなく、組み合わせて採用することが可能である。さらに、別実施形態（５）の管理装置は、ホストコンピュータ２４が有するその他の機能を有するものであってもよい。
【０１６４】
（６）上記したコンプレッサー判定部４１により実現される機能は、ホストコンピュータ２４のような管理装置に限らず、
プラントに対する流体漏洩診断により収集される各流体漏洩箇所のデータが入力される入力部を備える流体漏洩データの管理装置であって、
対象のプラントにおける総流体漏洩量に基づいて、前記対象のプラントにおける流体漏洩箇所を補修したと仮定したときの補修後プラントに対し、前記対象のプラントで使用するコンプレッサーの台数及び型式が適正であるかを判定するための判定情報を生成するコンプレッサー判定部を備える管理装置、
によっても実現できる。
【０１６５】
別実施形態（６）の管理装置において、コンプレッサー判定部は、
前記対象のプラントにおける総流体使用量から前記総流体漏洩量を減算することで前記補修後プラントにおける補修後流体使用量を演算し、前記判定情報として、前記補修後流体使用量と、前記コンプレッサーごとのその型式の機種が送出可能な流体量である送出可能流体量とをまとめた流体量比較情報を生成する構成にしてもよく、
前記総流体漏洩量を電力に換算した換算電力量を演算するとともに、前記プラントにおける前記コンプレッサーの総電力消費量から前記換算電力量を減算することで前記補修後プラントにおける前記コンプレッサーの補修後電力消費量を演算し、前記判定情報として、前記補修後電力消費量と、前記コンプレッサーごとのその型式の機種における最大電力消費量とをまとめた電力量比較情報を生成する構成にしてもよい。
【０１６６】
別実施形態（６）の管理装置において、コンプレッサー判定部は、漏洩流体種ごとに前記流体量比較情報又は前記電力量比較情報を生成する構成にしてもよい。
【０１６７】
別実施形態（６）の管理装置において、コンプレッサー判定部は、前記流体量比較情報又は前記電力量比較情報に基づいて、前記補修後プラントに対し前記コンプレッサーの台数及び型式が適正であるかを判定する構成にしてもよく、さらに、前記補修後プラントに対する最適な前記コンプレッサーの台数及び型式の組み合わせを提案する構成にしてもよい。
【０１６８】
なお、別実施形態（６）の管理装置は上記した構成を単独で採用するだけでなく、組み合わせて採用することが可能である。さらに、別実施形態（６）の管理装置は、ホストコンピュータ２４が有するその他の機能を有するものであってもよい。
【０１６９】
（７）その他の別実施形態
携帯コンピュータ２の記憶部１８に格納するエリア図画像Ｐａは、例えば、有線又は無線の通信手段によりホストコンピュータ２４から携帯コンピュータ２に入力するなど、適当な手段により携帯コンピュータ２に入力すればよく、また、診断作業中の移動により記憶部１８に格納してあるエリア図画像Ｐａと異なるエリアに移動したときなど、必要に応じて、無線通信手段によりホストコンピュータから随時新しいエリア図画像Ｐａを漏洩検出装置Ｒの側に送るようにしてもよい。
【０１７０】
携帯コンピュータ２の記憶部１８に蓄積して保管した収集データＤを一括してホストコンピュータ２４の側に入力するようにしたが、無線通信により診断作業中に流体漏洩箇所の収集データＤを随時にホストコンピュータ２４の側に送る構成にしてもよい。
【産業上の利用可能性】
【０１７１】
本開示の流体漏洩データの管理システムは各種分野における種々のプラントにおける流体漏洩データの管理に適用することができる。
【符号の説明】
【０１７２】
１      検出部（携帯検出器）
１８    記憶部
１９    検出位置入力部，データ入力部，ディスプレイ
２１    撮像部（小型デジタルカメラ）
２４    ホストコンピュータ（管理装置）
２６    操作部（表示子選択部）
２７    入力部
２９    演算部（データ処理部）
３０    表示部
Ｄ      収集データ（流体漏洩箇所のデータ）
Ｍａ    マーク
Ｐａ    エリア図画像
Ｐｅ    マップ画像（漏洩箇所表示画像）
Ｒ      可搬式の漏洩検出装置
【要約】
プラントに対する流体漏洩診断により収集される各流体漏洩箇所のデータが入力される入力部と、入力部に入力されたデータを表示する表示部とを備える流体漏洩データの管理装置であって、プラントの構成図画像に対して、入力部に入力された各流体漏洩箇所のプラントにおける位置である各位置データについて、構成図画像上の各位置データに対応する配置に、流体漏洩箇所であることを示す表示子を重ねて表示した漏洩箇所表示画像を表示部に表示するデータ処理部を備える管理装置。【図１】
0005986336.tif 000002
【図２】
0005986336.tif 000003
【図３】
0005986336.tif 000004
【図４】
0005986336.tif 000005
【図５】
0005986336.tif 000006
【図６】
0005986336.tif 000007
【図７】
0005986336.tif 000008
【図８】
0005986336.tif 000009
【図９】
0005986336.tif 000010
【図１０】
0005986336.tif 000011
【図１１】
0005986336.tif 000012
【図１２】
0005986336.tif 000013
【図１３】
0005986336.tif 000014
【図１４ａ】
0005986336.tif 000015
【図１４ｂ】
0005986336.tif 000016
【図１４ｃ】
0005986336.tif 000017
【図１５ａ】
0005986336.tif 000018
【図１５ｂ】
0005986336.tif 000019
【図１５ｃ】
0005986336.tif 000020
【図１６】
0005986336.tif 000021
【図１７】
0005986336.tif 000022
【図１８】
0005986336.tif 000023